(57)【要約】【課題】表示対象に外光が当たる状態で、光源からの照明光による透過照明を行う場合に、表示対象の視認性を向上させることができる表示装置を提供する。【解決手段】表示装置１は、ハーフミラー２と、ハーフミラー２の裏面２ｂ側に配置された光源３と、ハーフミラー２の表面２ａに設けられた表示対象４とを備え、ハーフミラー２は、透明樹脂部５と、透明樹脂部５の表面５ａに形成された反射膜６とを有し、表示対象４は、反射膜６の表面６ａに印刷された第１表示層７と、第１表示層７の表面７ａに印刷された第２表示層８とを有し、第１表示層７は、光源３からの照明光を遮光するように印刷されており、第２表示層８は、第１表示層７とは異なる色に印刷されており、第２表示層８の外形寸法は、第１表示層７の外形寸法よりも小さくなっており、表示対象４の縁部には、第１表示層７の表面７ａの縁部により形成された縁取り部９が設けられている。【選択図】図１
2019164073.tif 000002
【特許請求の範囲】
【請求項１】
光を反射させると共に透過させるパネルと、
前記パネルの裏面側に配置され、照明光を照射する光源と、
前記パネルの表面に設けられた表示対象とを備え、
前記パネルは、透明樹脂部と、前記透明樹脂部の表面に形成された反射膜とを有し、
前記表示対象は、前記反射膜の表面に印刷された第１表示層と、前記第１表示層の表面に印刷された第２表示層とを有し、
前記第１表示層は、前記光源からの照明光を遮光するように印刷されており、
前記第２表示層は、前記第１表示層とは異なる色に印刷されており、
前記第２表示層の外形寸法は、前記第１表示層の外形寸法よりも小さくなっており、
前記表示対象の縁部には、前記第１表示層の表面の縁部により形成された縁取り部が設けられていることを特徴とする表示装置。
【請求項２】
前記第１表示層の色は、前記反射膜の色と同系であることを特徴とする請求項１記載の表示装置。
【請求項３】
前記縁取り部は、前記表示対象の縁部全体にわたって連続して設けられていることを特徴とする請求項１または２記載の表示装置。
【発明の詳細な説明】
【技術分野】
【０００１】
本発明は、表示装置に関する。
【背景技術】
【０００２】
従来の表示装置としては、例えば特許文献１に記載されている技術が知られている。特許文献１に記載の表示装置は、文字板の表面に直接塗布され、白色系の透光性インクから成る透光層と、この透光層の上から塗布され、黒色の遮光性インクから成る第１の遮光層と、目盛部を除くように第１の遮光層の上から塗布され、白色系の遮光性インクから成る第２の遮光層とを備えている。
【先行技術文献】
【特許文献】
【０００３】
【特許文献１】特開平８−２９２０７１号公報
【発明の概要】
【発明が解決しようとする課題】
【０００４】
しかしながら、上記従来技術においては、以下の問題点が存在する。即ち、目盛部（表示対象）に外光が当たる状態で、光源からの照明光による透過照明を行う場合に、透過照明の照明色と第２の遮光層のインク色とが近い色であると、コントラストが低くなるため、表示対象が判別しにくくなり、表示対象の視認性が低下することがある。
【０００５】
本発明の目的は、表示対象に外光が当たる状態で、光源からの照明光による透過照明を行う場合に、表示対象の視認性を向上させることができる表示装置を提供することである。
【課題を解決するための手段】
【０００６】
本発明の一態様に係る表示装置は、光を反射させると共に透過させるパネルと、パネルの裏面側に配置され、照明光を照射する光源と、パネルの表面に形成された表示対象とを備え、パネルは、透明樹脂部と、透明樹脂部の表面に設けられた反射膜とを有し、表示対象は、反射膜の表面に印刷された第１表示層と、第１表示層の表面に印刷された第２表示層とを有し、第１表示層は、光源からの照明光を遮光するように印刷されており、第２表示層は、第１表示層とは異なる色に印刷されており、第２表示層の外形寸法は、第１表示層の外形寸法よりも小さくなっており、表示対象の縁部には、第１表示層の表面の縁部により形成された縁取り部が設けられていることを特徴とする。
【０００７】
このような表示装置においては、表示対象の縁部には、第１表示層の表面の縁部により形成された縁取り部が設けられている。このため、表示対象に外光が当たると、表示対象の大部分が第２表示層の色に見えるだけでなく、表示対象の縁取り部が第１表示層の色に見えることになる。従って、表示対象に外光が当たる状態で、光源から照明光を照射させる場合に、光源からの照明光によるパネルの透過照明の色が第２表示層の色に近いときでも、縁取り部によって表示対象が鮮明になるため、表示対象を容易に判別することが可能となる。これにより、表示対象に外光が当たる状態で、光源からの照明光によるパネルの透過照明を行う場合に、表示対象の視認性が向上する。
【０００８】
第１表示層の色は、反射膜の色と同系であってもよい。このような構成では、光源から照明光を照射させずに、外光のみにより表示対象を表示させる場合に、パネルの反射膜と表示対象の縁取り部との色彩の違いが目立ちにくくなる。
【０００９】
縁取り部は、表示対象の縁部全体にわたって連続して設けられていてもよい。このような構成では、パネルの透過照明の色が第２表示層の色に近いときでも、表示対象をより判別しやすくなるため、表示対象の視認性が一層向上する。
【発明の効果】
【００１０】
本発明によれば、表示対象に外光が当たる状態で、光源からの照明光による透過照明を行う場合に、表示対象の視認性を向上させることができる。
【図面の簡単な説明】
【００１１】
【図１】本発明の一実施形態に係る表示装置を示す断面図である。
【図２】表示対象の表示パターンを示す平面図である。
【図３】比較例として、従来の表示装置の一例を示す断面図である。
【発明を実施するための形態】
【００１２】
以下、本発明の実施形態について、図面を参照して詳細に説明する。なお、図面において、同一または同等の要素には同じ符号を付し、重複する説明を省略する。
【００１３】
図１は、本発明の一実施形態に係る表示装置を示す断面図である。図１において、本実施形態の表示装置１は、車両に搭載されたスイッチまたはメータ等に設けられた文字、シンボルまたは形状等を表示する装置である。
【００１４】
表示装置１は、光を反射させると共に透過させるハーフミラー２（パネル）と、このハーフミラー２の裏面２ｂ側に配置され、照明光を照射する複数の光源３（図１では１つのみ図示）と、ハーフミラー２の表面２ａに設けられた表示対象４とを備えている。
【００１５】
ハーフミラー２は、透明樹脂部５と、この透明樹脂部５の表面５ａに形成された反射膜６とを有している。反射膜６は、金属蒸着膜または金属メッキとして構成されている。反射膜６の色は、有色（ここでは黒色系）である。光源３から照射された照明光は、ハーフミラー２を透過する。ハーフミラー２の表面２ａ側から差し込む外光は、反射膜６の表面６ａ（表面２ａに相当）で反射する。
【００１６】
光源３としては、例えばＬＥＤランプ等が用いられる。複数の光源３は、それぞれ異なる色の照明光を照射する。複数の光源３のうちの１つは、白色系の照明光を照射する。なお、複数の光源３のうち使用される光源３は、スイッチ（図示せず）により切り換えられる。
【００１７】
表示対象４は、反射膜６の表面６ａに印刷された第１表示層７と、この第１表示層７の表面７ａに印刷された第２表示層８とを有している。つまり、第１表示層７及び第２表示層８は、反射膜６上に重なって配置されている。
【００１８】
第１表示層７は、光源３からの照明光を遮光するように印刷されている。第１表示層７の色は、反射膜６の色と同系（ここでは黒色系）である。第２表示層８は、第１表示層７とは異なる色（ここでは白色系）に印刷されている。
【００１９】
第１表示層７及び第２表示層８は、第１表示層７及び第２表示層８の積層方向から見た平面視で同じ外形を有している。このとき、第１表示層７及び第２表示層８の外形は、全く同じでなくてもよく、ほぼ同じであればよい。第２表示層８の外形寸法は、第１表示層７の外形寸法よりも小さくなっている。第１表示層７及び第２表示層８の外形寸法は、平面視での第１表示層７及び第２表示層８の寸法のことである。
【００２０】
表示対象４の縁部には、第１表示層７の表面７ａの縁部により形成された縁取り部９が設けられている。従って、ここでは縁取り部９の色は黒色系である。縁取り部９は、表示対象４の縁部全体にわたって連続して設けられている。
【００２１】
図２は、表示対象４の表示パターンを示す平面図である。なお、図２では、表示対象４は、「Ｔ」の文字である。
【００２２】
昼間時には、外光によって周囲環境が明るいため、光源３は点灯されない。この場合には、光源３から照明光が照射されないため、図２（ａ）に示されるように、ハーフミラー２における表示対象４の周囲は黒色系に見える。表示対象４の第２表示層８は、外光により白色系に見える。なお、第１表示層７の印刷色は黒色系であるため、外光があっても表示対象４の縁部（縁取り部９）は黒色系に見える。これにより、表示対象４を容易に判別することができる。
【００２３】
夜間時には、外光が差し込まれず、周囲環境が暗いため、光源３が点灯される。この場合には、光源３から照射された照明光がハーフミラー２を透過する。このため、図２（ｂ）に示されるように、ハーフミラー２における表示対象４の周囲は白色系に見える。また、表示対象４の第１表示層７が光源３からの照明光を遮光すると共に、表示対象４に外光が当たらないため、表示対象４は全体的に黒色系に見える。これにより、表示対象４を容易に判別することができる。
【００２４】
昼間でも周囲環境が多少薄暗いときは、光源３が点灯される。この場合には、光源３から照射された照明光がハーフミラー２を透過する。このため、図２（ｃ）に示されるように、ハーフミラー２における表示対象４の周囲は白色系に見える。また、表示対象４の第２表示層８は、外光により白色系に見える。しかし、第１表示層７の印刷色は黒色系であるため、外光があっても表示対象４の縁部（縁取り部９）は黒色系に見える。これにより、縁取り部９によって表示対象４を容易に判別することができる。
【００２５】
図３は、比較例として、従来の表示装置の一例を示す断面図である。図３において、本比較例の表示装置１００では、表示対象４は、ハーフミラー２の反射膜６の表面６ａに印刷された表示部１０１のみから構成されている。表示部１０１は、白色系に印刷されている。その他の構成は、上記実施形態と同様である。
【００２６】
本比較例において、昼間でも周囲環境が多少薄暗いときは、光源３から照射された照明光がハーフミラー２を透過する。このため、ハーフミラー２における表示部１０１の周囲は白色系に見える。また、表示部１０１も、外光により白色系に見える。このように光源３からの照明光によるハーフミラー２の透過照明の照明色と表示部１０１の印刷色とは同じ白色系であるため、コントラストが低く、表示対象４が判別しにくくなり、結果的に表示対象４の視認性が低下する。
【００２７】
このような不具合に対し、本実施形態では、表示対象４の縁部には、第１表示層７の表面７ａの縁部により形成された縁取り部９が設けられている。このため、表示対象４に外光が当たると、表示対象４の大部分が第２表示層８の色に見えるだけでなく、表示対象４の縁取り部９が第１表示層７の色に見えることになる。従って、表示対象４に外光が当たる状態で、光源３から照明光を照射させる場合に、光源３からの照明光によるハーフミラー２の透過照明の色が第２表示層８の色に近いときでも、縁取り部９によって表示対象４が鮮明になるため、表示対象４を容易に判別することが可能となる。これにより、表示対象４に外光が当たる状態で、光源３からの照明光によるハーフミラー２の透過照明を行う場合に、表示対象４の視認性が向上する。
【００２８】
ここで、照明色と印刷色とが近い場合に表示対象を判別しやすくするためには、印刷とレーザとを組み合わせた縁取り技術を用いることが考えられる。そのような縁取り技術では、レーザにより塗装剥離を行う必要があるが、レーザの光の管理が極めて難しく、またコストが高くなる。
【００２９】
本実施形態では、ハーフミラー２の表面２ａに第１表示層７及び第２表示層８を印刷により重ねるだけで、表示対象４に縁取り部９が形成されるため、レーザにより塗装剥離を行う必要がない。従って、廉価な構成で、表示対象４の視認性を向上させることができる。
【００３０】
また、本実施形態では、第１表示層７の色はハーフミラー２の反射膜６の色と同系であるので、光源３から照明光を照射させずに、外光のみにより表示対象４を表示させる場合に、ハーフミラー２の反射膜６と表示対象４の縁取り部９との色彩の違いが目立ちにくくなる。
【００３１】
また、本実施形態では、縁取り部９は、表示対象４の縁部全体にわたって連続して設けられている。従って、ハーフミラー２の透過照明の色が第２表示層８の色に近いときでも、表示対象４をより判別しやすくなるため、表示対象４の視認性が一層向上する。
【００３２】
なお、本発明は、上記実施形態には限定されない。例えば上記実施形態では、第２表示層８は、光源３から照射される照明光の色と同系の色に印刷されているが、特にその形態には限られず、第２表示層８は、光源３から照射される照明光の色に近い色（例えば、白色系に対して薄灰色）に印刷されていてもよい。
【００３３】
また、上記実施形態では、第１表示層７は、ハーフミラー２の反射膜６と同系の色に印刷されているが、特にその形態には限られず、第１表示層７は、光源３からの照明光を遮光することが可能であれば、反射膜６の色とは異なる色に印刷されていてもよい。
【００３４】
また、上記実施形態では、縁取り部９は、表示対象４の縁部全体にわたって連続的に設けられているが、特にその形態には限られず、縁取り部９は、表示対象４の縁部に間欠的に設けられていてもよい。つまり、縁取り部９は、表示対象４の縁部の一部に設けられていてもよい。縁取り部９を表示対象４の縁部に間欠的に設けた場合でも、影が表示されることで表示対象４が鮮明になることがある。
【００３５】
また、上記実施形態では、複数の光源３が備えられているが、光源３の数としては、１つであってもよい。この場合には、光源３は、第２表示層８の印刷色と同系の色または第２表示層８の印刷色に近い色の照明光を照射する。
【００３６】
また、上記実施形態の表示装置１は、車両に搭載されているが、本発明は、車両以外にも適用可能である。
【符号の説明】
【００３７】
１…表示装置、２…ハーフミラー（パネル）、２ａ…表面、２ｂ…裏面、３…光源、４…表示対象、５…透明樹脂部、５ａ…表面、６…反射膜、６ａ…表面、７…第１表示層、７ａ…表面、８…第２表示層、９…縁取り部。
【図１】
2019164073.tif 000003
【図２】
2019164073.tif 000004
【図３】
2019164073.tif 000005